(57)【要約】      （修正有）【課題】カードユニットが、異物付着による機能低下の有無を検出し、機能低下部位を自動的にクリーニングする、カード処理装置及びカード処理装置のクリーニング方法を提供する。【解決手段】カード処理装置１００は、カード搬送路２１に沿って、クリーニングカード４１を格納し、かつ、クリーニングカードのカード搬送路への送り出し及びカード搬送路からの戻りを可能に構成したクリーニングカード格納部４０と、カードユニット及びクリーニング制御する制御部と、を含む。制御部は、複数種類の機能実行部を監視し、その監視結果に基づいて各機能実行部への異物付着の有無を判別し、有りと判別すると、カードユニット及びクリーニングカード格納部に対してクリーニング指示を出して、該カードをカード搬送路に送り出し、複数種類の機能実行部のうちの異物付着有りと判別された機能実行部を含む少なくとも１つの機能実行部のクリーニングを実行させる。【選択図】図４
2019102026.tif 000002
【特許請求の範囲】
【請求項１】
装置の外部からカード搬送路に挿入されたカードに応じたサービスを提供するために、前記カード搬送路に沿って設置された複数種類の機能実行部を有するカードユニットと、
前記カード搬送路に接続可能な場所においてクリーニングカードを格納し、かつ前記クリーニングカードの前記カード搬送路への送り出し及び前記カード搬送路からの戻りを可能に構成したクリーニングカード格納部と、
前記カードユニット及び前記クリーニングカード格納部を制御する制御部と、を含み、
前記制御部は、前記複数種類の機能実行部を監視し、それぞれの監視結果に基づいて各機能実行部への異物付着の有無を判別し、異物付着有りと判別すると、前記カードユニット及び前記クリーニングカード格納部に対してクリーニング指示を出して、前記クリーニングカードを前記カード搬送路に送り出し、前記複数種類の機能実行部のうちの異物付着有りと判別された機能実行部を含む少なくとも１つの機能実行部のクリーニングを実行させることを特徴とするカード処理装置。
【請求項２】
請求項１に記載のカード処理装置において、
前記複数種類の機能実行部はそれぞれ前記挿入されたカードに接触する部位を有して、前記制御部の制御下で、それぞれに定められた動作を実行するものであり、
前記制御部は、前記複数種類の機能実行部からのそれぞれの出力信号に基づいて機能が設定条件を満たしているかどうかを判別し、前記設定条件を満たしていないと判別すると、前記クリーニング指示を出すことを特徴とするカード処理装置。
【請求項３】
請求項１又は２に記載のカード処理装置において、
前記カードユニットにおけるカード挿入及び排出口とは反対側の端部の外側に、前記カード搬送路の取り忘れカード排出口から排出された、取り忘れカードを受け入れて収納するための取り忘れカード収納部を備え、
前記クリーニングカード格納部は、そのクリーニングカード出入り口が、前記取り忘れカード排出口に接続可能な第１の位置と、前記取り忘れカード排出口から外れた第２の位置との間を変位可能に構成されて、前記取り忘れカード収納部の上方の空きスペースに設置されていることを特徴とするカード処理装置。
【請求項４】
請求項２に記載のカード処理装置において、
前記複数種類の機能実行部として、磁気ヘッドによる磁気リーダ、イメージセンサによるイメージリーダ、ＩＣリーダ接点部を有するＩＣリーダ、カードの搬送位置を検出するための複数の搬送センサ、前記カード搬送路の複数箇所に設置された搬送ローラによる搬送系を含み、
前記制御部は、前記磁気リーダの磁気リード出力、前記イメージリーダのイメージリード出力、前記ＩＣリーダのＩＣリード出力、前記複数の搬送センサの検出信号、前記カード挿入／排出口に最も近い搬送センサを除く搬送センサのうちの隣り合う２つを１組とする少なくとも１組の搬送センサの検出信号をそれぞれ、前記出力信号として受けて前記判別を行うことを特徴とするカード処理装置。
【請求項５】
請求項４に記載のカード処理装置において、
前記クリーニングカードによるクリーニングとして、前記磁気リーダについては前記磁気ヘッドのヘッド面、前記イメージリーダについては前記イメージセンサにおける前記カード搬送路に面したガラス保護面、前記搬送センサについては当該搬送センサにおける前記カード搬送路に面したガラス保護面、前記搬送系については前記搬送ローラの表面、をそれぞれクリーニングすることを特徴とするカード処理装置。
【請求項６】
請求項４又は５に記載のカード処理装置において、
前記カード搬送路を間にして前記イメージセンサの前記ガラス保護面と対向する位置には表面が白色の反射板が設置され、
前記制御部は、カード運用時以外の第１の設定タイミングで定期的に前記イメージセンサにより前記反射板のイメージデータを取得し、該イメージデータを前記出力信号として受けて前記判別を行うことを特徴とするカード処理装置。
【請求項７】
請求項４又は５に記載のカード処理装置において、
前記ＩＣリーダは、前記制御部で制御される付勢手段によって、前記ＩＣリーダ接点部が前記カード搬送路から離れた待機位置から前記カード搬送路を越えて反対側の作動位置まで変位可能に構成され、
前記カード搬送路を間にして前記ＩＣリーダの前記ＩＣリーダ接点部と対向する前記作動位置には前記ＩＣリーダ接点部を介して前記ＩＣリーダと通信可能な擬似ＩＣが設置され、
前記制御部は、カード運用時以外の第２の設定タイミングで定期的に前記ＩＣリーダの前記ＩＣリーダ接点部を前記作動位置まで変位させて前記ＩＣリーダと前記擬似ＩＣとの通信を行って前記擬似ＩＣからのＩＣリード出力を取得し、該ＩＣリード出力を前記出力信号として受けて前記判別を行うことを特徴とするカード処理装置。
【請求項８】
請求項１〜７のいずれか１項に記載のカード処理装置において、
前記制御部は、前記複数種類の機能実行部のうちの少なくとも１つに異物付着有りと判別すると、前記複数種類の機能実行部のすべてのクリーニングを実行させることを特徴とするカード処理装置。
【請求項９】
カード搬送路に沿って設置された複数種類の機能実行部を有するカードユニットの外側であって、前記カード搬送路に接続可能な場所に、クリーニングカードを格納しかつ前記クリーニングカードの前記カード搬送路への送り出し及び前記カード搬送路からの戻りを可能に構成したクリーニングカード格納部を配置し、
前記複数種類の機能実行部を監視し、それぞれの監視結果に基づいて各機能実行部への異物付着の有無を判別し、異物付着有りと判別すると、前記カードユニット及び前記クリーニングカード格納部に対してクリーニング指示を出して、前記クリーニングカードを前記カード搬送路に送り出して前記複数種類の機能実行部の少なくとも１つのクリーニングを実行させることを特徴とするカード処理装置におけるクリーニング方法。
【発明の詳細な説明】
【技術分野】
【０００１】
本発明はカード処理装置及びカード処理装置におけるクリーニング方法に関する。
【背景技術】
【０００２】
カード処理装置の一例としてＡＴＭ（Ａｕｔｏｍａｔｅｄ  Ｔｅｌｌｅｒ  Ｍａｃｈｉｎｅ ）を挙げることができる。銀行等の金融機関に併設される一般的なＡＴＭは、磁気カードやＩＣカード、それらの両方の機能を持つキャッシュカードやクレジットカード等（以下では、カードと総称する）を対象とするカードユニットを持つカード処理装置を備えている。この種のＡＴＭでは、カードユニットで不具合が発生した場合、ＡＴＭ全体の運用が停止され、カードユニットの不具合を改修するまでの間、ＡＴＭ全体の運用は休止となる。
【０００３】
これはコンビニエンスストアを主な設置場所とするＡＴＭ（以下、コンビニＡＴＭと呼ぶ）においても同様である。しかも、コンビニＡＴＭは金融機関向けの一般的なＡＴＭとは異なり、不具合等が発生した際に対応する保守員が常駐していない。そのため、一般的なＡＴＭとは異なり、コンビニＡＴＭでは保守員が要請を受けて保守拠点から駆け付けるまでに交通事情等にも影響され、不具合改修に要する時間が長くなるという傾向があった。
【０００４】
また、この種のカードユニットは、顧客が保有するカードをカード処理装置の外部から受け入れる必要がある。その際、この種のカードには油やほこり等の異物が付着していることがあり、この種の異物がカードを介してカードユニットにおいてカードと接触する部位に付着してしまうことも多々あった。
【０００５】
このような異物付着によってカードユニットの機能が低下し、カードユニットの運用において不具合が発生することがあり、ＡＴＭ全体の運用が休止となってしまう場合があった。このＡＴＭ休止中の時間における機会ロスはＡＴＭ運用事業において大きな問題であった。
【０００６】
一般的なカードユニットでは、カードユニットが保有する以下の機能は、外部から挿入されるカードに付着している油やほこり等の異物が、それぞれの機能を実現するための構成要素に付着すると、機能低下を起こして、カードユニットによる処理ができなくなる。そのため、保守員による清掃/改修が行われるまでＡＴＭ全体が休止となっていた。
【０００７】
カードユニットの各種機能と異物付着による不具合モードは以下の通りである。
【０００８】
（１）磁気ヘッド：図１に示すように、カード１０の磁気記録領域（磁気ストライプ）と接触する磁気ヘッド１１の表面に異物が付着していると、磁気リード/ライト出力が低下することがある。磁気リード/ライト出力の能力/基準を超える低下はエラーであり、ＡＴＭは休止となる。
【０００９】
（２）イメージリーダ：図２、図３に示すように、イメージリーダ１２は搬送中のカード１３を撮像するためのものであり、カードと接する部位はガラス保護面で保護されている。イメージリーダ１２のガラス保護面に異物が付着していると、撮像結果には異物付着箇所が搬送方向と平行なラインとなって現れる。その結果、撮像結果からカード番号等の正確な判定を行うことができないというような問題が生じる。
【００１０】
（３）ＩＣリーダ：ＩＣリーダは、ＩＣカードのＩＣチップと接続したＩＣカード接点部と接続可能なＩＣリーダ接点部を有する。ＩＣリーダのＩＣリーダ接点部に異物が付着していると、ＩＣリーダによるリードで失敗するため、ＡＴＭは休止となる。
【００１１】
（４）搬送センサ：カード搬送路に、搬送方向に間隔をおいて複数の搬送センサを設置してカードの有無を検出し、カードの位置決め、停止を行うようにしている。搬送センサは、センサを保護しているガラス保護面がカードと接するようになっているので、ガラス保護面に異物が付着していると検出異常となり、カードの搬送位置決めが不能となることがある。その場合、カードユニットの全ての機能が正確に実行できなくなるため、ＡＴＭは休止となる。
【００１２】
（５）搬送ローラ：カード搬送路に設置された搬送ローラに異物が付着すると、カード搬送時に搬送ローラのスリップが発生することがある。搬送ローラのスリップが発生すると、カードを決められた位置に正確に停止させることが不可能となり、カード搬送エラーによりＡＴＭは休止となる。
【００１３】
カード処理装置においては、上記のような異物付着による不具合モードやその他の不具合への対処策として提案がなされており、その例を以下に説明する。
【００１４】
特許文献１は、磁気ヘッド自動清掃方式について開示している。この磁気ヘッド自動清掃方式では、制御部が磁気ヘッドによる読取り不良回数が所定回数を超えたことを検知すると、クリーニングカード収容部に収容されているクリーニングカードをカード搬送路に搬送して磁気ヘッド部の直下に搬送した後、左右方向に数回搬送移動させて磁気ヘッドを清掃する。
【００１５】
特許文献２も、磁気ヘッドに対する清掃を自動的に行う磁気カードリーダについて開示している。この磁気カードリーダにおいては、カード搬送ベルトによるカード搬送路の延長線上にこれと連結するように、上下一対の無端ベルトでクリーニングカードが保持されている。清掃条件になると、カード搬送ベルト駆動用のモータと無端ベルト駆動用のモータを同時に起動して、クリーニングカードをカード搬送路へ送り、カード搬送ベルト駆動用のモータを正逆回転させ、クリーニングカードを、磁気ヘッドの面上を往復移動させて磁気ヘッドを清掃する。その後、カード搬送ベルト駆動用のモータ、無端ベルト駆動用のモータを最初と逆に回転させて、クリーニングカードを上下一対の無端ベルト間に戻す。
【００１６】
特許文献３は、取引に使用したカードを取り忘れた場合のカード返却のための機構を備えた自動取引装置について開示している。
【先行技術文献】
【特許文献】
【００１７】
【特許文献１】特開平４−１３２００６号公報
【特許文献２】特開平５−１９７８６７号公報
【特許文献３】特開平８−３３５２８９号公報
【発明の概要】
【発明が解決しようとする課題】
【００１８】
上述したように、一般的なカード処理装置においても、異物付着による不具合モードだけでも複数種類存在するにもかかわらず、特許文献１、２で明らかなように、異物付着への対策は磁気ヘッドのクリーニングのみ提案されているのが現状である。一方、特許文献３では、異物付着への対策については考慮されていない。
【００１９】
上記のような現状に鑑み、本発明は、カード処理装置におけるカードユニットが保有する様々な機能のうちの複数の機能について、異物付着による機能低下の有無を検出し、カードユニットにおける機能低下部位を自動的にクリーニングして、機能停止となる前に低下した機能を復旧できるようにしたカード処理装置及びカード処理装置におけるクリーニング方法を提供することを課題とする。
【課題を解決するための手段】
【００２０】
本発明の第１の態様によれば、装置の外部からカード搬送路に挿入されたカードに応じたサービスを提供するために、前記カード搬送路に沿って設置された複数種類の機能実行部を有するカードユニットと、前記カード搬送路に接続可能な場所においてクリーニングカードを格納し、かつ前記クリーニングカードの前記カード搬送路への送り出し及び前記カード搬送路からの戻りを可能に構成したクリーニングカード格納部と、前記カードユニット及び前記クリーニングカード格納部を制御する制御部と、を含み、前記制御部は、前記複数種類の機能実行部を監視し、それぞれの監視結果に基づいて各機能実行部への異物付着の有無を判別し、異物付着有りと判別すると、前記カードユニット及び前記クリーニングカード格納部に対してクリーニング指示を出して、前記クリーニングカードを前記カード搬送路に送り出し、前記複数種類の機能実行部のうちの異物付着有りと判別された機能実行部を含む少なくとも１つの機能実行部のクリーニングを実行させることを特徴とするカード処理装置が提供される。
【００２１】
本発明の第２の態様によれば、カード搬送路に沿って設置された複数種類の機能実行部を有するカードユニットの外側であって、前記カード搬送路に接続可能な場所に、クリーニングカードを格納しかつ前記クリーニングカードの前記カード搬送路への送り出し及び前記カード搬送路からの戻りを可能に構成したクリーニングカード格納部を配置し、前記複数種類の機能実行部を監視し、それぞれの監視結果に基づいて各機能実行部への異物付着の有無を判別し、異物付着有りと判別すると、前記カードユニット及び前記クリーニングカード格納部に対してクリーニング指示を出して、前記クリーニングカードを前記カード搬送路に送り出し、前記複数種類の機能実行部のうちの異物付着有りと判別された機能実行部を含む少なくとも１つの機能実行部のクリーニングを実行させることを特徴とするカード処理装置におけるクリーニング方法が提供される。
【発明の効果】
【００２２】
本発明によれば、カード処理装置におけるカードユニットの異物付着による機能低下部位を検出し、自動的にクリーニングを行うことにより、機能を復旧させることができるので、カードユニット休止を極力減らし、カードユニット休止による機会ロスを最小化することができる。
【図面の簡単な説明】
【００２３】
【図１】一般的なカード処理装置におけるカードユニットの磁気ヘッドに付着した異物に起因する問題点について説明するための図である。
【図２】一般的なカード処理装置におけるカードユニットのイメージリーダに付着した異物に起因する問題点について説明するための図である。
【図３】図２に示されるカードを図２とは別の角度から見て図２の問題点を説明するための図である。
【図４】本発明によるカード処理装置の好ましい実施形態の全体側面断面図である。
【図５】図４に示されたカード処理装置のカードユニットにおける磁気リード出力について説明するために出力波形の例を示した図である。
【図６】図４に示されたカード処理装置のカードユニットにおけるイメージリーダについて説明するための図である。
【図７】図６に示されたイメージリーダの問題点について説明するための図である。
【図８】図４に示されたカード処理装置のカードユニットにおけるＩＣリーダについて説明するための図である。
【図９】図４に示されたカード処理装置のカードユニットにおけるカードの搬送系について説明するための図である。
【図１０】図４に示されたカード処理装置における磁気ヘッドのクリーニング動作を説明するための側面断面図である。
【図１１】図４に示されたカード処理装置において図１０に続く磁気ヘッドのクリーニング動作を説明するための側面断面図である。
【図１２】図４に示されたカード処理装置において図１１に続く磁気ヘッドのクリーニング動作を説明するための側面断面図である。
【発明を実施するための形態】
【００２４】
図４を参照して、本発明を一般的なＡＴＭに好適なカード処理装置に適用した好ましい実施形態について説明する。以下では、カード処理装置の構成要素のうち、本発明を実施するために欠くことのできない構成要素について説明することとし、その他の構成要素については、既知のカード処理装置と同じであるので、図示、説明は省略する。
【００２５】
図４において、カード処理装置１００は、カードユニット２０と、カードユニット２０の外側に設置された取り忘れカード収納部３０と、その上方の空きスペースに設置されたクリーニングカード格納部４０と、少なくともカードユニット２０及びクリーニングカード格納部４０を制御する機能を持つ制御部５０と、を含む。なお、本発明において使用するクリーニングカードは、これまで使用されている、いわゆる普及品のクリーニングカードと同じで良いので、図示及び詳しい説明は省略する。６０は、カード処理装置の対象となるカードを示す。
【００２６】
カードユニット２０は、キャッシュカードやクレジットカード等のカードの出し入れを行うためのカード挿入及び排出口２０−１と、これとは反対側の取り忘れカード排出口２０−２とを結ぶカード搬送路２１を有する。前述したように、以降の説明では磁気カードやＩＣカード、それらの両方の機能を持つカードも含めてカードと呼ぶこととし、本実施形態では磁気カードとＩＣカードの両方の機能を持つカード、すなわち磁気記録領域（磁気ストライブ）とＩＣカード接点部を持つＩＣチップを搭載したカードを対象とするものとする。
【００２７】
カード搬送路２１には、カード挿入及び排出口２０−１から挿入されたカードの持つ情報に応じたサービスを提供するために、搬送方向に沿って複数種類の機能実行部が設置されている。本実施形態では、複数種類の機能実行部として、（１）磁気ヘッドによる磁気リーダ２２と、（２）イメージセンサによるイメージリーダ２３と、（３）ＩＣリーダ接点部を持つＩＣリーダ２４と、（４）カードを所定の位置で停止させるためのカード位置決め制御用の第１〜第４の搬送センサ２５−１〜２５−４と、（５）カード搬送のために、上下で対を為す第１〜第３の搬送ローラ２６−１〜２６−３を含む搬送系と、を備える。
【００２８】
搬送系は、カード搬送路２１に沿ってカードの長辺方向のサイズよりも短い間隔で設置した第１〜第３の搬送ローラ２６−１〜２６−３を有するだけでなく、カード挿入及び排出口２０−１に近い第１の搬送センサ２５−１を除く第２〜第４の搬送センサ２５−２〜２５−４を、磁気ヘッドのクリーニング判定用のカード通過センサとしても兼用するようにしている。そこで、以降の説明、特に磁気ヘッドのクリーニングの説明においては、第２〜第４の搬送センサ２５−２〜２５−４を第１〜第３のカード通過センサと呼ぶことがある。各搬送ローラは、カードを上下一対のローラで挟み込んで搬送する。搬送ローラを正転、あるいは逆転させることでカードを図４の左右いずれの方向にも搬送可能である。搬送ローラは、スリップが無ければ第２の搬送センサ２５−２と第３の搬送センサ２５−３との間、及び第３の搬送センサ２５−３と第４の搬送センサ２５−４との間についてはカードを一定速度で搬送することができる。第２の搬送センサ２５−２と第３の搬送センサ２５−３との間のセンサ間距離と、第３の搬送センサ２５−３と第４の搬送センサ２５−３との間のセンサ間距離は既知である。カード搬送路２１には、必要に応じ、カードの両側の長辺の縁部を受け入れて搬送をガイドする断面コ字形状のガイド部を設けても良い。
【００２９】
ＩＣリーダ２４はカードのＩＣカード接点部と接続可能なＩＣリーダ接点部を有し、第１の搬送ローラ２６−１と第２の搬送ローラ２６−２との間のカード搬送路２１に設置している。
【００３０】
磁気リーダ２２とイメージリーダ２３は、第２の搬送ローラ２６−２と第３の搬送ローラ２６−３との間のカード搬送路２１に設置している。
【００３１】
なお、磁気リーダ２２の磁気ヘッドは、バネのような付勢手段により、カードの搬送に支障をきたさない程度の付勢力でカード搬送路２１側に向けて付勢されている。上記のような搬送センサ、搬送ローラの設置個数や配置形態、及び複数種類の機能実行部、各構成要素の配置形態は一例にすぎない。本発明は図４に示されるような搬送センサ、搬送ローラの設置個数や配置形態、及び機能実行部の種類や配置形態に限定されるものではない。
【００３２】
本実施形態によるカード処理装置１００は、金融機関向けの一般的なＡＴＭで使用されているカードユニットと同様、カードユニット２０の後方、つまりカード挿入及び排出口２０−１と反対側のカードユニット２０の外側に、取り忘れカード排出口２０−２からの取り忘れカードを上下一対の駆動ローラ２７を経由して受け取り、収納する取り忘れカード収納部３０を設置している。取り忘れカード収納部というのは、カード挿入及び排出口２０−１からの取り出しを忘れたカードを取り忘れカードとして収納するためのものであり、周知であるので、詳しい説明は省略する。取り忘れカード収納部３０上方の空きスペースにクリーニングカード格納部４０を設置し、クリーニングカード格納部４０内にクリーニングカード４１を格納しておく。クリーニングカード格納部４０は、制御部５０からのクリーニング指示を受け取ると、クリーニングカード４１を排出し、駆動ローラ２７経由でカードユニット２０の取り忘れカード排出口２０−２からカード搬送路２１へ送り出して複数種類の機能実行部の１つ以上の自動クリーニングを行う。
【００３３】
一方、コンビニＡＴＭは、金融機関向けの一般的なＡＴＭに比べてコンパクトサイズであるが、上述したカードユニット２０と同様の構成を有し、取り忘れカード収納部もコンビニＡＴＭの必須機能である。そこで、コンビニＡＴＭにおいても、上記と同様、取り忘れカード収納部上方の空きスペースを利用してクリーニングカード格納部を設置することにより、本発明による複数種類の機能実行部の自動クリーニングを実現することができる。
【００３４】
本実施形態におけるクリーニングカード格納部４０は、常時、クリーニングカード４１を格納している。クリーニング格納部４０はまた、その前端のカード出入り口４２からクリーニングカード４１の出し入れを行うための上下一対のクリーニングカード駆動ローラ（図示省略）を備える。クリーニングカード格納部４０は更に、その後端側に設けられた回動軸４３を中心に、回動駆動源（図示省略）により、カード出入り口４２を、駆動ローラ２７経由で取り忘れカード排出口２０−２に接続可能な、一点鎖線で示す第１の位置Ｐ１と、取り忘れカード排出口２０−２から外れた第２の位置Ｐ２との間で変位可能に構成している。なお、駆動ローラ２７は、取り忘れカード排出口２０−２からの取り忘れカードの排出、クリーニングカード格納部４０とカードユニット２０との間のクリーニングカード４１の出し入れに支障が無ければ省略しても良い。
【００３５】
次に、本発明のカード処理装置によって自動クリーニングを実現するに当たり、カードユニットに搭載される複数種類の機能実行部のそれぞれの機能と、必要となる異物付着検出の仕組みについて説明する。
【００３６】
（ａ）磁気リーダ２２：磁気リーダ２２は、カード搬送路２１を搬送中のカードの磁気記録領域に対して磁気ヘッドによるリード／ライトを行う。図５は磁気リード出力波形の一例を示す。ここでの磁気リード出力波形は、交流信号波形のように、正のピーク値と負のピーク値を交互に繰り返す波形である。図５を参照して、磁気ヘッドにおけるカード表面（磁気記録領域）との接触面（ヘッド面）に異物が付着していると、一般的に、磁気リード出力は正、負共に低下する（図５の中央）。そこで、本発明のカード処理装置による自動クリーニングでは、取引毎、つまりカードがカード挿入及び排出口２０−１に挿入される毎に、制御部５０において磁気リード出力（磁気ヘッドの出力信号）のピークレベルを正、負の少なくとも一方について計測する。制御部５０は、計測された磁気リード出力のピークレベルが連続して予め設定したスライスレベル（しきい値）を下回った場合、磁気ヘッドのヘッド面（リードコア）に異物が付着した可能性が高いと判定し、クリーニングカードによるヘッド面の自動クリーニングを行うクリーニング指示をカードユニット２０、クリーニング格納部４０に出力する。制御部５０において予め設定されるスライスレベルは、磁気リードエラーとなる磁気リード出力（図５の右側に実線で示すエラーレベル）よりも高く、正常時の磁気リード出力（図５の左側）よりも低いレベル(図５に点線で示す、エラーレベル＋α)として設定される。
【００３７】
（ｂ）イメージリーダ２３：イメージリーダ２３は、搬送中のカードの表面画像や文字、数字、例えばマークやカード番号等、を撮像する。撮像データはカードの識別等に利用される。図６はイメージリーダ２３の正面図である。前述したように、イメージリーダ２３は、カードと接する面がガラス保護面となっている。
【００３８】
本実施形態においては、イメージリーダ２３の直下に、カード搬送路２１を間にしてイメージリーダ２３と対向するようにイメージリーダ反射板２３−１を配置している。制御部５０は、カード運用のない待機状態の時に、第１の設定タイミングで定期的にイメージリーダ２３によるイメージリーダ反射板２３−１の撮像を実行させる。イメージリーダ反射板２３−１の表面は白色に近い同一色であり、白色が望ましい。それゆえ、カード運用を行なっていない時に、イメージリーダ２３でイメージリーダ反射板２３−１を撮像すると、異物等がイメージリーダ２３のガラス保護面に付着していなければ、撮像領域全体が白の撮像結果（イメージデータ）が得られる。しかし、異物等がイメージリーダ２３のガラス保護面に付着していると、図７に示すように、撮像結果には異物付着部が白以外の点となって現れる。制御部５０はイメージリーダ２３からの出力信号であるイメージリード出力（イメージデータ）に対する判別を行う。制御部５０は、イメージデータに白以外の点が複数存在する、あるいは白以外の領域が所定の占有面積を越えていると、イメージリーダ２３のガラス保護面に異物が付着している可能性が高いと判定し、クリーニングカードによるガラス保護面のクリーニング指示を出力する。
【００３９】
（ｃ）ＩＣリーダ２４：ＩＣリーダ２４は、カードのＩＣカード接点部からＩＣリーダ接点部を通して通信、つまり情報のリード／ライトを行う。正面図である図８を参照して、ＩＣリーダ２４（ＩＣリーダ接点部）は可動であり、待機時には第１の付勢手段によって、ＩＣリーダ接点部がカード搬送路２１から離れた待機位置（「ＩＣリーダ格納時」として破線で示す位置）にあるように構成されている。ＩＣリーダ２４はまた、制御部５０によりオン、オフ制御される第２の付勢手段によって、ＩＣリーダ接点部がカード搬送路２１をわずかにオーバーストロークして待機位置と反対側の作動位置まで変位可能に構成されている。このような構成により、制御部５０は、カード挿入及び排出口２０−１から挿入されたカードがカード搬送路２１上を搬送されて所定位置に到達すると、第２の付勢手段をオンにし、ＩＣリーダ接点部がカード上のＩＣカード接点部に接触するように制御動作を実行する。ＩＣリーダ接点部とＩＣカード接点部を通して、カードに対するリード／ライトが終了したら、制御部５０は第２の付勢手段をオフとし、ＩＣリーダ接点部を待機位置に戻す。第２の付勢手段の付勢力は第１の付勢手段の付勢力よりも大きいが、カードの搬送を妨げることのない程度の値に設定されている。
【００４０】
ところで、ＩＣリーダ２４のＩＣリーダ接点部に異物が付着していると、カードのＩＣカード接点部との電気的導通が悪くなり、読み取りエラーの原因となる。そこで、本実施形態では、カードのＩＣチップよりも通信抵抗のやや大きい疑似ＩＣ２４−１を、ＩＣリーダ２４の直下（上記作動位置）に、カード搬送路２１を間にしてＩＣリーダ２４のＩＣリーダ接点部と対向するように配置している。制御部５０は、カード運用がされていない待機時に、第２の設定タイミングで定期的に第２の付勢手段をオンにしてＩＣリーダ接点部を擬似ＩＣ２４−１に接触させる。続いて、制御部５０はＩＣリーダ２４と擬似ＩＣ２４−１との間でＩＣ通信（擬似ＩＣ２４−１からの擬似データ読み取り）を行い、通信品質の確認を行う。このＩＣ通信品質確認でＩＣリードを失敗した場合、制御部５０は、ＩＣリーダ２４のＩＣリーダ接点部に異物が付着していると判断し、クリーニングカードによるＩＣリーダ２４（ＩＣリーダ接点部）のクリーニング指示を出力する。ＩＣリードの失敗というのは、例えば擬似ＩＣ２４−１からの擬似データ読み取りレベルが予め設定したしきい値に到達しない場合である。
【００４１】
（ｄ）搬送センサ：制御部５０は、第１〜第４の搬送センサ２５−１〜２５−４からの出力信号に基づいて所定位置、つまり搬送センサの設置位置でのカードの有無を判別すると共にカードの位置決めを行う。搬送センサの一例は、フォトセンサのような光学検知手段であるが、カード搬送路２１を移動するカードの表面と接する部位には、前述したイメージセンサと同様、ガラス保護面が設けられている。制御部５０は、カード運用がされていない待機中に、定期的に、第１〜第４の搬送センサ２５−１〜２５−４の出力レベル（受光レベル）を計測することができる。制御部５０は、計測の結果、いずれかの搬送センサ、例えば第１の搬送センサ２５−１の出力レベル（受光レベル）がカードの有無を識別する判定スライス（しきい値）に近づいたことを確認したら、該当する第１の搬送センサ２５−１のセンサ面（ガラス保護面）に異物が付着したと判断し、クリーニングカードによる搬送センサ（ガラス保護面）のクリーニング指示を出力する。この場合のクリーニングは、出力レベルの低下を示した搬送センサ２５−１のガラス保護面のみで良いが、残りの搬送センサのガラス保護面にも異物付着有りと判定されない程度の異物付着がある可能性を考慮して、すべての搬送センサを一括してクリーニングするのが望ましい。
【００４２】
（ｅ）搬送系：搬送系は、第１〜第３の搬送ローラ２６−１〜２６−３と、前述したように、カード搬送路２１に沿って所定のセンサ間距離をおいて配置した第２の搬送センサ（第１のカード通過センサ）２５−２、第３の搬送センサ（第２のカード通過センサ）２５−３及び第４の搬送センサ（第３のカード通過センサ）２５−４を含み、カード搬送路２１におけるカード搬送及びカードの位置決め制御に寄与する。第１〜第３の搬送ローラ２６−１〜２６−３は、制御部５０の制御下で、同期した正転、逆転は勿論のこと、独立して正転、逆転させることも可能である。これにより、制御部５０は、第１〜第４の搬送センサ２５−１〜２５−４からの検出信号を用いて第１〜第３の搬送ローラ２６−１〜２６−３を個別に駆動制御してカード搬送路２１上でのカードの位置決めを行うことができる。正面図である図９を参照して、制御部５０は、カード運用時に、カードを第２の搬送センサ（第１のカード通過センサ）２５−２と第３の搬送センサ（第２のカード通過センサ）２５−３のセンサ間距離を一定速度で通過させ、その通過時間を計測する。一定速度で通過させた場合の通過時間は既知の基準値である。制御部５０は、通過時間に基準値よりも遅れが発生した場合は、第２の搬送センサ（第１のカード通過センサ）２５−２直前の第１の搬送ローラ２６−１が異物付着によりスリップしたと判断し、第１の搬送ローラ２６−１に対するクリーニングカードによるクリーニング指示を出力する。なお、第３の搬送センサ（第２のカード通過センサ）２５−３と第４の搬送センサ（第３のカード通過センサ）２５−４との間についても、制御部５０において上記と同様の動作を実行することにより、第２の搬送ローラ２６−２に対する異物付着の有無の判別を行い、第２の搬送ローラ２６−２に対するクリーニング指示を出力することができる。しかし、搬送センサに対するクリーニングと同様、ある１つの搬送ローラについて異物付着有りと判別された場合、その搬送ローラ以外の搬送ローラにも異物付着有りと判定されない程度の異物付着がある可能性を考慮して、ある１つの搬送ローラにおいて異物付着有りと判定されたら、すべての搬送ローラを一括してクリーニングするのが望ましい。一番目の搬送センサ２５−１を、上記の判別動作に使用しないのは、カード挿入及び排出口２０−１に近い場所では、顧客が手指でカードを押したり、引いたりしてカードの移動速度に影響を及ぼすことがあるからである。
【００４３】
［実施形態の動作説明］
本発明の実施形態の動作について説明する。
【００４４】
（磁気リーダ２２）
本発明の実施形態による磁気ヘッドの自動クリーニングでは、制御部５０が取引毎に磁気ヘッドからの磁気リード出力を、正のピークレベル、負のピークレベルの少なくとも一方について計測する。制御部５０は、計測した磁気リード出力が予め設定したスライスレベルを下回ると、磁気ヘッドのリードコアに異物が付着した可能性が高いと判定し、クリーニングカード格納部４０、カードユニット２０に磁気ヘッドのクリーニング指示コマンドを送ることで、磁気ヘッドのクリーニングを行う。
【００４５】
クリーニングカード格納部４０について言えば、制御部５０は、クリーニング動作開始時の磁気ヘッドのクリーニング指示コマンドとして、クリーニング格納部４０の回動駆動源に対してクリーニングカード格納部４０を第２の位置Ｐ２から第１の位置Ｐ１に回動させるコマンド、クリーニングカード格納部４０のクリーニングカード駆動ローラと駆動ローラ２７を駆動してクリーニングカード４１をクリーニングカード格納部４０からカードユニット２０内に導入させるコマンドを発行する。制御部５０は、クリーニング終了時の磁気ヘッドのクリーニング指示コマンドとして、駆動ローラ２７とクリーニングカード格納部４０のクリーニングカード駆動ローラを逆転させて取り忘れカード排出口２０−２から排出されてくるクリーニングカード４１をクリーニングカード格納部４０に格納するコマンド、クリーニング格納部４０の回動駆動源に対してクリーニングカード格納部４０を第１の位置Ｐ１から第２の位置Ｐ２に戻すコマンドを発行する。なお、クリーニングカード４１がクリーニングカード格納部４０内に戻ったことを検出したうえで、クリーニングカード格納部４０を第１の位置Ｐ１から第２の位置Ｐ２に戻すようにすることが望ましい。
【００４６】
一方、カードユニット２０について言えば、制御部５０は、クリーニング動作開始時の磁気ヘッドのクリーニング指示コマンドとして、クリーニング動作開始後、取り忘れカード排出口２０−２から導入されてきたクリーニングカード４１をカード搬送路２１上で往復移動させてクリーニングカード４１が磁気リーダ２２の磁気ヘッドを所定の複数回通過するように、少なくとも第３の搬送ローラ２６−３、第２の搬送ローラ２６−２を駆動するコマンドを発行する。制御部５０はまた、クリーニング終了時の磁気ヘッドのクリーニング指示コマンドとして、所定回数の往復動作を終了したらクリーニングカード４１を取り忘れカード排出口２０−２から排出するように第３の搬送ローラ２６−３、第２の搬送ローラ２６−２を駆動するコマンドを発行する。
【００４７】
図１０〜図１２を参照して、磁気ヘッドのクリーニング動作について説明する。
【００４８】
図１０の状態において、制御部５０から磁気ヘッドのクリーニング指示コマンドが発行されると、クリーニングカード格納部４０は回転軸４３を中心に第２の位置Ｐ２から第１の位置Ｐ１まで回動する（図１１）。続いて、クリーニングカード格納部４０は、クリーニングカード４１をカードユニット２０内に向けてスライドさせてカード搬送路２１上に導入する。カード搬送路２１上では、少なくとも第３の搬送ローラ２６−３と第２の搬送ローラ２６−２の回転によりクリーニングカード４１は磁気リーダ２２の磁気ヘッド部まで搬送される。続いて、第３の搬送ローラ２６−３、第２の搬送ローラ２６−２の正転、逆転を同期状態にて所定回数繰り返すことにより、磁気ヘッド面に対してクリーニングカード４１を往復させ、磁気ヘッド表面に付着した異物を除去する（図１２）。クリーニングカード４１の往復回数の設定についてはクリーニングカード４１の使用回数や磁気リード出力の低下度合いに応じて任意に設定可能である。磁気ヘッドのクリーニング終了後は上記順番と逆の動作でクリーニングカード４１はクリーニングカード格納部４０へ戻り、クリーニングカード格納部４０は第２の位置Ｐ２に戻る。
【００４９】
なお、クリーニングカード４１の往復動作の間、制御部５０は第１〜第４の搬送センサ２５−１〜２５−４の検出信号を用いてクリーニングカード４１の所定位置への位置決め、停止制御を行う。これは以降で説明する、イメージリーダ２３、ＩＣリーダ２４、搬送センサ、搬送ローラのクリーニング動作においても同様である。
【００５０】
（イメージリーダ２３）
本発明の実施形態によるイメージリーダ２３の自動クリーニングでは、制御部５０は、カード運用のない待機状態の時に、第１の設定タイミングで定期的にイメージリーダ２３によるイメージリーダ反射板２３−１の撮像を行い、撮像結果（イメージデータ）について判別動作を実行する。制御部５０は、イメージデータに白以外の点が複数存在する、あるいは白以外の領域が所定の占有面積を越えていると判別すると、イメージリーダ２３のガラス保護面に異物が付着した可能性が高いと判定し、クリーニングカード格納部４０、カードユニット２０にイメージリーダ２３のクリーニング指示コマンドを送ることで、イメージリーダ２３（ガラス保護面）のクリーニングを行う。
【００５１】
イメージリーダ２３のクリーニング動作開始時、クリーニング動作終了時のクリーニングカード格納部４０へのクリーニング指示コマンドは、前述した磁気ヘッドのクリーニング指示コマンドと同じである。
【００５２】
一方、カードユニット２０に対しては、制御部５０は、クリーニング動作開始時のイメージリーダ２３のクリーニング指示コマンドとして、クリーニング動作開始後、取り忘れカード排出口２０−２から導入されてきたクリーニングカードを、カード搬送路２１のイメージリーダ２３直下で所定の複数回往復するように、少なくとも第３の搬送ローラ２６−３、第２の搬送ローラ２６−２を駆動するコマンドを発行する。制御部５０はまた、クリーニング終了時のイメージリーダ２３のクリーニング指示コマンドとして、所定回数の往復動作を終了したらクリーニングカード４１を取り忘れカード排出口２０−２から排出するように第３の搬送ローラ２６−３、第２の搬送ローラ２６−２を駆動するコマンドを発行する。
【００５３】
以上のようなクリーニング指示コマンドによるイメージリーダ２３（ガラス保護面）のクリーニングは、上述した磁気ヘッドのクリーニングとほぼ同じである。
【００５４】
（ＩＣリーダ２４）
本発明の実施形態によるＩＣリーダ接点部の自動クリーニングでは、制御部５０は、カード運用のない待機状態の時に、定期的に第２の付勢手段をオンにしてＩＣリーダ２４と擬似ＩＣ２４−１との間でＩＣ通信を行う。制御部５０は、ＩＣ通信に失敗すると、ＩＣリーダ２４のＩＣリーダ接点部に異物が付着した可能性が高いと判定し、クリーニングカード格納部４０、カードユニット２０にＩＣリーダ２４のクリーニング指示コマンドを送ることで、ＩＣリーダ２４（ＩＣ接点部）のクリーニングを行う。制御部５０は、上記ＩＣ通信終了後、第２の付勢手段をオフとする。
【００５５】
ＩＣリーダ２４のクリーニング動作開始時、クリーニング動作終了時のクリーニングカード格納部４０へのクリーニング指示コマンドは、前述した磁気ヘッドのクリーニング指示コマンドと同じである。
【００５６】
一方、カードユニット２０に対しては、制御部５０は、クリーニング動作開始時のＩＣリーダ２４のクリーニング指示コマンドとして、クリーニング動作開始後、第２の付勢手段をオンにしたうえで、取り忘れカード排出口２０−２から導入されてきたクリーニングカードを、カード搬送路２１のＩＣリーダ２４のＩＣリーダ接点部まで搬送して所定の複数回往復するように、第１の搬送ローラ２６−１〜第３の搬送ローラ２６−３を駆動するコマンドを発行する。制御部５０はまた、クリーニング終了時のＩＣリーダ２４のクリーニング指示コマンドとして、所定回数の往復動作を終了したら第２の付勢手段をオフにしたうえで、クリーニングカード４１を取り忘れカード排出口２０−２から排出するように第１の搬送ローラ２６−１〜第３の搬送ローラ２６−３を駆動するコマンドを発行する。
【００５７】
ＩＣリーダ２４のクリーニングは、上述した磁気ヘッドのクリーニングとほぼ同じである。
【００５８】
（搬送センサ）
制御部５０は、カード運用中に、第１〜第４の搬送センサ２５−１〜２５−４からの出力信号に基づいてカードの有無、すなわちカードが搬送センサの位置で規定される位置に到達したことを判別すると共にカードの位置決め、停止を行う。制御部５０はまた、カード運用の無い待機中に、第１〜第４の搬送センサ２５−１〜２５−４の出力レベルを計測し、いずれかの搬送センサの出力レベルがカードの有無を識別するしきい値に近づいたことを確認したら、その搬送センサのガラス保護面に異物が付着したと判断し、クリーニングカード格納部４０、カードユニット２０に搬送センサのクリーニング指示コマンドを送ることで、搬送センサのガラス保護面のクリーニングを行う。
【００５９】
搬送センサのクリーニング動作開始時、クリーニング動作終了時のクリーニングカード格納部４０へのクリーニング指示コマンドは、前述した磁気ヘッドのクリーニング指示コマンドと同じである。
【００６０】
一方、カードユニット２０に対しては、制御部５０は、クリーニング動作開始時の搬送センサのクリーニング指示コマンドとして、クリーニング動作開始後、取り忘れカード排出口２０−２から導入されてきたクリーニングカードを、クリーニングを必要とする搬送センサ直下で所定の複数回往復するように、第１の搬送ローラ２６−１〜第３の２６−３を駆動するコマンドを発行する。制御部５０はまた、クリーニング終了時の搬送センサのクリーニング指示コマンドとして、所定回数の往復動作を終了したらクリーニングカード４１を取り忘れカード排出口２０−２から排出するように第１の搬送ローラ２６−１〜第３の搬送ローラ２６−３を駆動するコマンドを発行する。なお、搬送センサを１個ずつクリーニングする場合、例えば第４の搬送センサ２５−４のみをクリーニングする場合には、そこから最も遠い第１の搬送ローラ２６−１は駆動しなくても良い。
【００６１】
搬送センサのクリーニングも、上述した磁気ヘッドのクリーニングとほぼ同じである。
【００６２】
（搬送系）
制御部５０は、カード運用時に、カードを第２の搬送センサ２５−２（第１のカード通過センサ）と第３の搬送センサ２５−３（第２のカード通過センサ）のセンサ間距離を一定速度で通過させ、通過時間を計測する。制御部５０は、通過時間に遅れが発生した場合は、第２の搬送センサ（第１のカード通過センサ）２５−２直前の第１の搬送ローラ２６−１が異物付着によりスリップしたと判断し、クリーニングカード格納部４０、カードユニット２０に第１の搬送ローラ２６−１のクリーニング指示コマンドを送ることで、第１の搬送ローラ２６−１のクリーニングを行う。制御部５０は、第３の搬送センサ２５−３（第２のカード通過センサ）と第４の搬送センサ２５−４（第３のカード通過センサ）についても同様の判別動作を実行するが、以下では、第２の搬送センサ２５−２と第３の搬送センサ２５−３についてのみ説明する。
【００６３】
搬送ローラのクリーニング動作開始時、クリーニング動作終了時のクリーニングカード格納部４０へのクリーニング指示コマンドは、前述した磁気ヘッドのクリーニング指示コマンドと同じである。
【００６４】
一方、カードユニット２０に対しては、制御部５０は、クリーニング動作開始時の第１の搬送ローラ２６−１のクリーニング指示コマンドとして、クリーニング動作開始後、取り忘れカード排出口２０−２から導入されてきたクリーニングカードを、カード搬送路２１内で第１の搬送ローラ２６−１に接触させながら所定の複数回往復するように、第１の搬送ローラ２６−１〜第３の搬送ローラ２６−３を駆動するコマンドを発行する。制御部５０はまた、クリーニング終了時の第１の搬送ローラ２６−１のクリーニング指示コマンドとして、所定回数の往復動作を終了したらクリーニングカード４１を取り忘れカード排出口２０−２から排出するように第１の搬送ローラ２６−１〜第３の搬送ローラ２６−３を駆動するコマンドを発行する。なお、搬送ローラを１個ずつクリーニングする場合、例えば第１の搬送ローラ２６−１のみをクリーニングする場合には、そこから最も遠い第３の搬送ローラ２６−３はクリーニングカードの導入終了後は停止させても良い。
【００６５】
搬送系のクリーニングも、上述した磁気ヘッドのクリーニングとほぼ同じである。
【００６６】
なお、以上のような複数種類のクリーニング動作において、カード運用中に判別動作を実行する磁気リーダ２２、搬送系については、異物付着有りと判別した場合、制御部５０は、クリーニング指示を出力する前に、カードユニット２０に対してカードを顧客に返却する動作を実行させた後、ＡＴＭのディスプレイに「少しおまちください」等のメッセージを表示させてから、クリーニングを実行させることにより、顧客がＡＴＭの復旧を待つか、別のＡＴＭに移るかの選択は顧客自身に行わせるようにするのが望ましい。
【００６７】
上記の実施形態では、磁気カードとＩＣカードの両方の機能を持つカードを対象とする場合について説明したが、本発明は、磁気カードあるいはＩＣカード単独についても適用できることは言うまでもない。つまり、磁気カードの場合はカードユニットのＩＣリーダが使用されず、ＩＣカードの場合はカードユニットの磁気リーダが使用されないだけのことである。
【００６８】
［実施形態の効果］
以上説明したように本実施形態のカード処理装置は、特にコンビニＡＴＭ等の保守員が常駐していない環境に設定されているＡＴＭにおいて大きな課題である障害発生時の保守員が駆け付けるまでの長時間の休止に対する機会損失を障害になる前に事前に判定して、事前に修復する機能により、回避することが可能である。
【００６９】
［他の実施形態］
本発明の他の実施形態として、前述の運用はレベル低下した機能実行部があった場合、その機能実行部のみを清掃する運用となっているが、１つの機能実行部がレベル低下した場合は、予防の観点から全ての機能実行部に対してクリーニング指示を出力するようにしても良い。勿論、この場合のクリーニングはカード運用の無い待機中に実行するものとし、全ての機能実行部に対するクリーニングの順番をあらかじめ決めておき、クリーニング中はＡＴＭのディスプレイに「少しおまちください」等のメッセージを表示させることが望ましい。
【産業上の利用可能性】
【００７０】
本発明を金融機関に併設される一般的なＡＴＭ、あるいはコンビニＡＴＭにおけるカード処理装置に適用した実施形態について説明したが、本発明は、磁気リーダ、ＩＣリーダ等の読み取り手段と共に、搬送ローラによる搬送手段をカード搬送路に沿って配設したカードユニットを内蔵したカード処理装置全般に適用可能である。
【符号の説明】
【００７１】
１０、１３    カード
１１    磁気ヘッド
１２、２３    イメージリーダ
２０−１    カード挿入及び排出口
２０−２    取り忘れカード排出口
２１    カード搬送路
２２    磁気リーダ
２４    ＩＣリーダ
２４−１    擬似ＩＣ
２５−１〜２５−４    第１〜第４の搬送センサ
２６−１〜２６−３    第１〜第３の搬送ローラ
２７    駆動ローラ
３０    クリーニングカード収納部
４０    クリーニングカード格納部
４１    クリーニングカード
４２    カード出入り口
４３    回動軸
５０    制御部
６０    カード
１００    カード処理装置
【図１】
2019102026.tif 000003
【図２】
2019102026.tif 000004
【図３】
2019102026.tif 000005
【図４】
2019102026.tif 000006
【図５】
2019102026.tif 000007
【図６】
2019102026.tif 000008
【図７】
2019102026.tif 000009
【図８】
2019102026.tif 000010
【図９】
2019102026.tif 000011
【図１０】
2019102026.tif 000012
【図１１】
2019102026.tif 000013
【図１２】
2019102026.tif 000014
【手続補正書】
【提出日】平成30年10月5日(2018.10.5)
【手続補正１】
【補正対象書類名】特許請求の範囲
【補正対象項目名】請求項３
【補正方法】変更
【補正の内容】
【請求項３】
請求項１又は２に記載のカード処理装置において、
前記カードユニットにおけるカード挿入及び排出口とは反対側の端部の外側に、前記カード搬送路の取り忘れカード排出口から排出された、取り忘れカードを受け入れて収納するための取り忘れカード収納部を備え、
前記クリーニングカード格納部は、前記クリーニングカード格納部のクリーニングカード出入り口が、前記取り忘れカード排出口に接続可能な第１の位置と、前記取り忘れカード排出口から外れた第２の位置との間を変位可能に構成されて、前記取り忘れカード収納部の上方の空きスペースに設置されていることを特徴とするカード処理装置。
【手続補正２】
【補正対象書類名】特許請求の範囲
【補正対象項目名】請求項６
【補正方法】変更
【補正の内容】
【請求項６】
請求項５に記載のカード処理装置において、
前記カード搬送路を間にして前記イメージセンサの前記ガラス保護面と対向する位置には表面が白色の反射板が設置され、
前記制御部は、カード運用時以外の第１の設定タイミングで定期的に前記イメージセンサにより前記反射板のイメージデータを取得し、該イメージデータを前記出力信号として受けて前記判別を行うことを特徴とするカード処理装置。